(57)【特許請求の範囲】
【請求項１】
庫内を上室と下室に分割した仕切壁と、前記仕切壁の下部に当接し前記仕切壁を固定する庫内側の係止面と、前記仕切壁の上部を形成する上板と、前記仕切壁の下部を形成する前記上板と一対になった下板と、前記上板と前記下板との間に位置する断熱材と、前記上室の奥面に設置した冷却器と、前記冷却器の下部に位置し前記冷却器に付着した霜を融かした除霜水を受ける前記上板と一体になった露受皿と、この露受皿内の除霜水を外部へ排水する前記下板と一体となった排水管とからなる冷蔵庫の排水装置。
【請求項２】
下板の係止面側に形成され、排水管の周辺に形成されたシール用の凹凸部を備えた請求項１の冷蔵庫の排水装置。
【請求項３】
前記係止面に一体となり、凹凸部の外周に相対する側に形成された水だめ用の凹部を備えた請求項１の冷蔵庫の排水装置。
【請求項４】
係止面に一体となり、係止面を前後に形成された水切り用の凹溝を備えた請求項１の冷蔵庫の排水装置。
【請求項５】
下板の断熱材側に形成され、排水管の周囲に位置し、下板と断熱材をシールする凸部を備えた請求項１の冷蔵庫の排水装置。
【発明の詳細な説明】
【０００１】
【発明の属する技術分野】
本発明は冷蔵庫の排水装置に関するものである。
【０００２】
【従来の技術】
近年、冷蔵庫の排水装置は、部品点数が多く、シール仕様も複雑になってきている。
【０００３】
従来の冷蔵庫の排水装置としては、特公平７−４９９０９号公報に示されているものがある。
【０００４】
以下、図面を参照しながら上記従来の冷蔵庫の排水装置を説明する。
図４は従来の冷蔵庫の排水装置の断面の詳細図である。図５は従来の冷蔵庫の排水装置の冷蔵庫本体の断面図である。
【０００５】
図４，図５において、１は冷蔵庫本体である。２は外箱である。３は内箱である。４はウレタン断熱材である。外箱２と内箱３の間にウレタン断熱材４を充填している。５は仕切壁である。
【０００６】
６は仕切壁５でくぎられた上室である。７は仕切壁５でくぎられた下室である。８は上室６の奥面に設定された冷却器である。９は仕切壁５の形成する上板である。
【０００７】
１０は仕切壁５の下部を形成する上板９と一対になった下板である。１１は上板９と下板１０との間に位置する断熱材である。
【０００８】
１２は冷却器８の下部に位置し、冷却器８に付着した霜を融かした除霜水を受ける露受皿てある。１３は露受皿１２と一体となって除霜水を流す排水孔である。１４は排水孔１３からの除露水を庫外へ排水する排水管である。１５は排水管シール部である。１６は排水管係止部である。１７は排水孔係止部である。
【０００９】
排水管１４は、排水孔１３の排水孔係止部１７に排水管係止部１６で固定されている。１８はシール材である。シール材は、排水管１４の排水管シール部１５と仕切壁５の断熱材９をウレタン断熱材４が侵入しないよう固定されている。
【００１０】
【発明が解決しようとする課題】
しかしながら、上記従来の構成は、シール材１８や排水管１４などの多くの部品で成り立っており、シール材１８を排水管１４の排水管係止部１０を排水孔１３の排水孔係止部１７で固定するような複雑に組み合わせたシール仕様であるため、部品点数が多く、シールが不確実であるという欠点があった。
【００１１】
本発明は従来の課題を解決するもので、部品点数を少なくし、シールを確実にできる冷蔵庫の排水装置を提供することを目的とする。
【００１２】
また、上記従来の構成は、部品点数が多く複雑であるため、シールが不確実であるという欠点があった。
【００１３】
【課題を解決するための手段】
この目的を達成するため本発明は、排水管を仕切壁の下板と一体としたのである。
【００１４】
これにより部品点数が少なくでき、簡素で、シールを確実とすることができる。
【００１５】
【発明の実施の形態】
本発明は、庫内を上室と下室に分割した仕切壁と、前記仕切壁の下部に当接し前記仕切壁を固定する庫内側の係止面と、前記仕切壁の上部を形成する上板と、前記仕切壁の下部を形成する前記上板と一対になった下板と、前記上板と前記下板との間に位置する断熱材と、前記上室の奥面に設置した冷却器と、前記冷却器の下部に位置し前記冷却器に付着した霜を融かした除霜水を受ける前記上板と一体になった露受皿と、この露受皿内の除霜水を外部へ排水する前記下板と一体となった排水管とからなり、前記排水管を下板と一体としたものである。
【００１６】
そして、一体となることにより部品点数を少なくできシールを確実にすることになる。
【００１７】
また、前記下板の前記係止面側に形成され、前記排水管の周辺に形成されたシール用の凹凸部を備えたものである。
【００１８】
そして、凹凸部によりシールを確実にすることができる。
また、前記係止面に一体となり、前記凹凸部の外周の相対する側に形成された水だめ用の凹部を備えたものである。
【００１９】
そして、凹部を形成することにより、水をためることができ、シール部に水が侵入するのを防ぐことになる。
【００２０】
また、前記係止面に一体となり、係止面を前後に形成された水切り用の凹溝を備えたものである。
【００２１】
そして、凹溝を形成することにより、水が手前に流れ出るようにし、シール部に水が侵入するのを防ぐことになる。
【００２２】
また、前記下板の前記断熱材側に形成され、前記排水管の周囲に位置し、前記下板と前記断熱材をシールする凸部を備えたものである。
【００２３】
そして、凸部により、下板と断熱材のシールを強化することになる。
【００２４】
【実施例】
以下、本発明による冷蔵庫の排水装置の実施例について、図面を参照しながら説明する。なお従来と同一構成については、同一符号を付して詳細な説明を省略する。
【００２５】
（実施例１）
図１は本発明の実施例による冷蔵庫の排水装置の断面の詳細図である。図２は同実施例の冷蔵庫の排水装置の斜視図である。図３は同実施例の冷蔵庫の排水装置の冷蔵庫本体の断面図である。
【００２６】
図１，図２，図３において、１９は本発明の冷蔵庫本体である。外箱２と内箱３とこの間に充填されたウレタン断熱材４により構成されている。
【００２７】
２０は、本発明の仕切壁である。仕切壁２０により、庫内を上室６，下室７に分けている。２１は、仕切壁２０の上部を形成する上板である。２２は仕切壁２０の下部を形成する下板である。
【００２８】
２３は、上板２１と下板２２の間に構成された断熱材である。２４は、内箱３の一部分で形成された内箱の係止面である。この内箱の係止面に、仕切壁２０を当接させ固定するものである。２５は上板２１に一体となり形成された冷却器８に付着した霜を融かした除霜水を受ける露受皿である。
【００２９】
２６は露受皿２５より除霜水を流す排水孔である。２７は下板２２に一体となり形成された除霜水を庫外へ排水する排水管である。
【００３０】
２８は、内箱の係止面２４に相対する下板２２に形成され、排水管２７の周りに付けられた凹凸部である。この凹凸部２８は、内箱の係止面２４に密着し、ウレタン断熱材４が庫内側に侵入するのを防ぐと同時に、庫内より流れた水がウレタン断熱材４に侵入するのも防ぐものである。
【００３１】
２９は、内箱の係止部２４に形成され、下板２２の凹凸部２８の外周の相対する側に形成された凹部である。この凹部２９は、庫内より流れた水が下板２２の凹凸部２８に流れ込むのをその周りで防ぐものである。
【００３２】
３０は、内箱の係止面２４に一体となり、係止面２４を前後に形成する凹溝である。この凹溝３０は、庫内より流れた水が内箱の係止部２４と仕切壁２０の下板２２との間より庫内側に流水させるためのものである。
【００３３】
３１は、仕切壁２０の下板２２の断熱材２３の相対する側に位置し、排水管２７の周囲に形成された凸部である。この凸部３１は、断熱材２３と密着することにより下板２２と断熱材２３との間に除霜水が流れ込むのを防ぐものである。
【００３４】
以上のように本実施例の冷蔵庫の排水装置は、仕切壁２０と、上板２１と、下板２２と、断熱材２３と、内箱の係止面２４と、露受皿２５と、排水孔２６と、排水管２７と、凹凸部２８と、凹部２９と、凹溝３０と、凸部３１とから構成され、下板２２を排水管２７と一体としたので、部品点数が少なくでき、シールを確実なものとすることができる。
【００３５】
また、下板２２に凹凸部２８を形成することによりウレタン断熱材の庫内への侵入と、庫内からの水がウレタン断熱材に侵入するのを防ぐことができる。
【００３６】
また、内箱の係止面２４に凹部２９を形成することにより庫内に流れた水がウレタン断熱材に流れ込むのを防ぐことができる。
【００３７】
また、内箱の係止面２４に凹溝３０を形成することにより庫内に流れた水が下板２２と内箱の係止部２４に溜まることなく庫内側に流れさせることができる。
【００３８】
また、下板２２に凸部３１を形成することにより、下板２２と断熱材２３との間に除霜水が流れ込むのを防ぐことができる。
【００３９】
【発明の効果】
以上説明したように本発明は、下板と排水管を一体としたので、部品点数を少なくでき、シールを確実なものとできる。
【００４０】
また、下板に凹凸部を形成したので、ウレタン断熱材の庫内への侵入と、庫内からの水のウレタン断熱材への侵入を防ぐことができる。
【００４１】
また、内箱の係止面に凹部を形成したので、庫内に流れた水がウレタン断熱材に流れ込むのを防ぐことができる。
【００４２】
また、内箱の係止面に凹溝を形成したので、内箱の係止部と下板に水が溜まることもなく庫内に流させることができる。
【００４３】
また、下板に凸部を形成することにより、下板と断熱材の間に除霜水が流れ込むのを防ぐことができる。
【図面の簡単な説明】
【図１】本発明による冷蔵庫の排水装置の実施例１の断面の詳細図
【図２】同実施例の冷蔵庫の排水装置の斜視図
【図３】同実施例の冷蔵庫の排水装置の冷蔵庫本体の断面図
【図４】従来の冷蔵庫の排水装置の断面の詳細図
【図５】従来の冷蔵庫の排水装置の冷蔵庫本体の断面図
【符号の説明】
８  冷却器
２０  仕切壁
２１  上板
２２  下板
２３  断熱材
２４  内箱の係止面
２５  露受皿
２７  排水管
２８  凹凸部
２９  凹部
３０  凹溝
３１  凸部
【図１】
0003626829.tif 000002
【図２】
0003626829.tif 000003
【図３】
0003626829.tif 000004
【図４】
0003626829.tif 000005
【図５】
0003626829.tif 000006